(57)【要約】【課題】水の流路が屈曲または合流する部位において、水の滞りや砂埃等の堆積によって排水効率が低下することを効果的に防止することができる排水溝構造を提供すること。また、このような排水溝構造を用いて作製された屋根およびベランダを提供すること。【解決手段】排水溝構造１は、水の流路が屈曲または合流する部位に用いられる排水溝構造１であって、表面が樹脂で被覆されている金属板で構成され、底部１１と、該底部１１の縁部から立設する立ち上がり面１２とを有し、絞り加工により一体的に成型されたことを特徴とする。底部１１と立ち上がり面１２とで形成される角部の曲率半径は、１ｍｍ以上５０ｍｍ以下であることが好ましい。【選択図】図１
2014214561.tif 000002
【特許請求の範囲】
【請求項１】
水の流路が屈曲または合流する部位に用いられる排水溝構造であって、
表面が樹脂で被覆されている金属板で構成され、
底部と、該底部の縁部から立設する立ち上がり面とを有し、
絞り加工により一体的に成型されたことを特徴とする排水溝構造。
【請求項２】
前記底部と前記立ち上がり面とで形成される角部の曲率半径は、１ｍｍ以上５０ｍｍ以下である請求項１に記載の排水溝構造。
【請求項３】
前記金属板の平均厚さは、０．１ｍｍ以上３ｍｍ以下である請求項１または２に記載の排水溝構造。
【請求項４】
前記底部は、平部と、該平部に傾斜して設けられた傾斜部と、を有し、
前記底部の前記傾斜部側の縁部から、前記立ち上がり面が立設している請求項１ないし３のいずれか１項に記載の排水溝構造。
【請求項５】
他の排水溝構造と端部同士を接合し、形成された接合部の少なくとも一部を防水シートで覆って使用される排水溝構造であって、
前記他の排水溝構造と接合する端部近傍に、前記防水シートの厚さに対応した深さの段差が設けられている請求項１ないし４のいずれか１項に記載の排水溝構造。
【請求項６】
前記立ち上がり面は屈曲しており、
前記立ち上がり面の屈曲方向に前記底部を有する請求項１ないし５のいずれか１項に記載の排水溝構造。
【請求項７】
前記立ち上がり面は屈曲しており、
前記立ち上がり面の屈曲方向とは反対に前記底部を有する請求項１ないし５のいずれか１項に記載の排水溝構造。
【請求項８】
前記立ち上がり面は平板状であり、
前記立ち上がり面の縁部から連続して配設された前記底部は、Ｔ字状に分岐した構造を有する請求項１ないし５のいずれか１項に記載の排水溝構造。
【請求項９】
請求項１ないし８のいずれか１項に記載の排水溝構造を用いて作製されたことを特徴とする屋上。
【請求項１０】
請求項１ないし８のいずれか１項に記載の排水溝構造を用いて作製されたことを特徴とするベランダ。
【発明の詳細な説明】
【技術分野】
【０００１】
本発明は、排水溝構造、屋上およびベランダに関する。
【背景技術】
【０００２】
近年、建築物の高耐久化が求められるに伴って、多くの建築物の屋上やベランダ等において、樹脂シートを敷設施工したシート防水構造が採用されている（例えば、特許文献１参照。）。
このシート防水構造では、例えば、屋上の床部と、床部の外縁に沿って設けられた壁部との境界部に、ポリ塩化ビニルで被覆された鋼板（金属板）を配置し、床部と壁部とをかかる鋼板とともに樹脂シートを用いて覆う構成となっており、これにより、屋上に防水が施される。
ここで、防水が施工される屋上等の形状は、当然、様々である。そのため、前記鋼板としては、複数の種類の形状のものが予め用意され、実際に施工される屋上等の形状に合致するものを複数選択し、これら同士を互いに接合して用いられる。
このような鋼板同士の接合は、現状、施工現場において、接合部の形状に対応した防水シートを用意し、この防水シートを用いて施工者が接合部を覆うことにより行なっている。
しかしながら、このように防水シートを用いて接合部を覆った場合、防水シートの部分で段差が生じてしまい、当該段差で水の一部が堰き止められて排水効率が低下する問題があった。また、当該段差の部分に砂埃が溜まってしまい、排水効率がさらに低下する問題もあった。こういった問題は、水の流路が屈曲または合流する部位において、特に顕著であった。また、滞留などにより外観の悪化も問題であった。
【先行技術文献】
【特許文献】
【０００３】
【特許文献１】特開２００７−７０８７７号公報
【発明の概要】
【発明が解決しようとする課題】
【０００４】
本発明の目的は、水の流路が屈曲または合流する部位において、水の滞りや砂埃等の堆積によって排水効率が低下することを効果的に防止することができ、かつ、良好な外観を維持できる排水溝構造を提供すること、また、このような排水溝構造を用いて作製された屋根およびベランダを提供することにある。
【課題を解決するための手段】
【０００５】
このような目的は、下記（１）〜（１０）に記載の本発明により達成される。
（１）  水の流路が屈曲または合流する部位に用いられる排水溝構造であって、
表面が樹脂で被覆されている金属板で構成され、
底部と、該底部の縁部から立設する立ち上がり面とを有し、
絞り加工により一体的に成型されたことを特徴とする排水溝構造。
（２）  前記底部と前記立ち上がり面とで形成される角部の曲率半径は、１ｍｍ以上５０ｍｍ以下である上記（１）に記載の排水溝構造。
（３）  前記金属板の平均厚さは、０．１ｍｍ以上３ｍｍ以下である上記（１）または（２）に記載の排水溝構造。
【０００６】
（４）  前記底部は、平部と、該平部に傾斜して設けられた傾斜部と、を有し、
前記底部の前記傾斜部側の縁部から、前記立ち上がり面が立設している上記（１）ないし（３）のいずれかに記載の排水溝構造。
（５）  他の排水溝構造と端部同士を接合し、形成された接合部を防水シートで覆って使用される排水溝構造であって、
前記他の排水溝構造と接合する端部近傍に、前記防水シートの厚さに対応した深さの段差が設けられている上記（１）ないし（４）のいずれかに記載の排水溝構造。
（６）  前記立ち上がり面は屈曲しており、
前記立ち上がり面の屈曲方向に前記底部を有する上記（１）ないし（５）のいずれかに記載の排水溝構造。
【０００７】
（７）  前記立ち上がり面は屈曲しており、
前記立ち上がり面の屈曲方向とは反対に前記底部を有する上記（１）ないし（５）のいずれかに記載の排水溝構造。
（８）  前記立ち上がり面は平板状であり、
前記立ち上がり面の縁部から連続して配設された前記底部は、Ｔ字状に分岐した構造を有する上記（１）ないし（５）のいずれかに記載の排水溝構造。
（９）  上記（１）ないし（８）のいずれかに記載の排水溝構造を用いて作製されたことを特徴とする屋上。
（１０）  上記（１）ないし（８）のいずれかに記載の排水溝構造を用いて作製されたことを特徴とするベランダ。
【発明の効果】
【０００８】
本発明によれば、水の流路が屈曲または合流する部位において、排水の滞りや砂埃等の堆積によって排水効率が低下することを効果的に防止することができ、かつ、良好な外観を維持できる排水溝構造を提供することができる。また、このような排水溝構造を用いて作製された屋根およびベランダを提供することができる。
【図面の簡単な説明】
【０００９】
【図１】本発明の排水溝構造の第１実施形態を示す斜視図である。
【図２】図１に示す排水溝構造を、躯体に配置した状態を示す縦断面図である。
【図３】本発明の排水溝構造の第２実施形態を示す斜視図である。
【図４】本発明の排水溝構造の第３実施形態を示す斜視図である。
【発明を実施するための形態】
【００１０】
以下、本発明の排水溝構造を添付図面に示す好適実施形態に基づいて詳細に説明する。
＜第１実施形態＞
図１は、本発明の排水溝構造の第１実施形態を示す斜視図、図２は、図１に示す排水溝構造を、躯体に配置した状態を示す縦断面図である。なお、以下の説明では、図１、２中の上側を「上」、下側を「下」とする。
排水溝構造１は、屋上（屋根）やベランダのような躯体が有する床部と壁部との境界部に配置され、床部と壁部とを排水溝構造１とともに防水シートを用いて覆うことで、躯体に防水を施すシート防水構造に用いられるものである。
具体的には、排水溝構造１は、図２に示すように、床部５１０と、床部５１０から立設した第１の壁部５２０と、床部５１０から立設し、第１の壁部５２０と交差して配置された第２の壁部５３０とを有する躯体５００において、床部５１０と第１の壁部５２０と第２の壁部５３０との境界部（角部）付近上に配置されて用いられる。本実施形態では、第１の壁部５２０と第２の壁部５３０とで形成される角の内角（床部５１０側の角）は、ほぼ９０°となっている。
【００１１】
以下、この排水溝構造１を構成する各部材について詳述する。
排水溝構造１は、表面が樹脂で被覆されている金属板からなり、底部１１と、立ち上がり面１２と、目地内部平面１３と、目地内部立ち上がり面１４とを有している。また、排水溝構造１は、絞り加工により一体的に成型されたものである。
底部１１は、図１の上側から見た平面視で、第１の辺１５ａと、第２の辺１５ｂと、第３の辺１６ａと、第４の辺１６ｂと、第５の辺１７ａと、第６の辺１７ｂとで囲まれたＬ字状をなしている。
また、第１の辺１５ａと、第２の辺１５ｂは、第１の辺１５ａと第２の辺１５ｂとで形成される角の内径がほぼ９０°となるように交差して設けられている。また、第５の辺１７ａおよび第６の辺１７ｂは、それぞれ、第１の辺１５ａおよび第２の辺１５ｂに対して直交するように設けられている。
【００１２】
また、底部１１は、平部１１０と、この平部１１０に傾斜して設けられた傾斜部１１１とを有している。そして、排水溝構造１を躯体５００内に配置する際には、傾斜部１１１が床部５１０に設けられた溝５１１に対応するように配置される。排水溝構造１では、傾斜部１１１に、雨水等の液体が流れることとなる。
また、傾斜部１１１（底部１１）は、図１に示すように、底部１１内部から第５の辺１７ａおよび第６の辺１７ｂに向かって凹んだ、段差２０が設けられている。この段差２０は、排水溝構造１が他の排水溝構造と接合する際に用いる防水シートの厚さとほぼ同等の深さを有している。このため、排水溝構造１と他の排水構造とを接合した際に、防水シートの厚さが当該段差２０で打ち消され、排水溝構造１の底部１１と他の排水構造の底部とが平坦となるよう接合される。
【００１３】
立ち上がり面１２は、底部１１（傾斜部１１１）の縁部、すなわち第１の辺１５ａから立設している。また、立ち上がり面１２は、底部１１側に約９０°屈曲した構造となっている。すなわち、排水溝構造１は、立ち上がり面１２の屈曲方向に底部１１を有している。
目地内部平面１３は、立ち上がり面１２上端から底部１１と反対側に突出しており、立ち上がり面１２の上端に沿ったＬ字状をなしている。
さらに、目地内部立ち上がり面１４は、目地内部平面１３の底部１１と反対側から突出しており、目地内部平面１３の縁部に沿ったＬ字状をなしている。
この立ち上がり面１２と目地内部平面１３とにより、図２に示すように、空間１２０が形成され、排水溝構造１を躯体５００内に配置する際には、この空間１２０内に、第１の壁部５２０に設けられた突出部５２１が挿入される。そして、目地内部平面１３と目地内部立ち上がり面１４とにより係合部が形成され、この係合部が突出部５２１の上端に係合するようにして、排水溝構造１が躯体５００内に配置される。
【００１４】
排水溝構造１において、立ち上がり面１２と底部１１とで構成される角部の曲率半径は、１ｍｍ以上５０ｍｍ以下であるのが好ましく、５ｍｍ以上２５ｍｍ以下であるのがより好ましい。これにより、角部に砂埃等がより滞留しにくくなり、排水効率をさらに向上させることができる。
また、排水溝構造１において、立ち上がり面１２の屈曲した部位の曲率半径は、１ｍｍ以上１００ｍｍ以下であるのが好ましく、５ｍｍ以上７０ｍｍ以下であるのがより好ましく、１０ｍｍ以上６０ｍｍ以下であるのがさらに好ましい。これにより、角部に砂埃等がより滞留しにくくなり、排水効率をさらに向上させることができる。
【００１５】
また、排水溝構造１は、それぞれ、上記の通り、表面が樹脂で被覆されている金属板で構成される。このように、樹脂で被覆することで、金属板の腐食を確実に防止することができる。
金属板としては、特に限定されないが、例えば、ステンレス鋼板、鉄板のような鋼板、アルミ板、銅板等が挙げられるが、鋼板であるのが好ましい。これにより、排水溝構造１を優れた強度を有するものとすることができる。
また、金属板の厚さは、特に限定されないが、０．１ｍｍ以上、３ｍｍ以下であるのが好ましく、０．３ｍｍ以上、２．５ｍｍ以下であるのがより好ましい。
【００１６】
樹脂としては、例えば、ポリ塩化ビニルのような塩化ビニル系樹脂、ポリオレフィン系樹脂、エチレン酢酸ビニル共重合体等が挙げられ、これらのうちの１種または２種以上を組み合わせて用いることができるが、ポリ塩化ビニルであるのが好ましい。ポリ塩化ビニルは、溶剤溶着性や熱融着性に優れるため、金属板の腐食をより確実に防止することができる。
また、樹脂により金属板を被覆する厚さは、特に限定されないが、０．０３ｍｍ以上、２ｍｍ以下であるのが好ましく、０．１ｍｍ以上、０．７ｍｍ以下であるのがより好ましい。
以上説明したような排水溝構造１は、絞り加工によって全体が一体的に成型されているため、水の流路が屈曲する部位に段差が無く、排水の滞りや砂埃等の堆積によって排水効率が低下することを効果的に防止することができる。
【００１７】
＜第２実施形態＞
次に、本発明の排水溝構造の第２実施形態について説明する。
図３は、本発明の排水溝構造の第２実施形態を示す斜視図である。なお、以下の説明では、図３中の上側を「上」、下側を「下」とする。
以下、第２実施形態の排水溝構造１について、前記第１実施形態の排水溝構造１との相違点を中心に説明し、同様の事項については、その説明を省略する。
図３に示す排水溝構造１は、前述した第１実施形態と同様に、絞り加工により一体的に成型されたものである。そして、図３に示す排水溝構造１は、前述した第１実施形態と同様に、表面が樹脂で被覆されている金属板からなり、底部１１と、立ち上がり面１２と、目地内部平面１３と、目地内部立ち上がり面１４とを有している。
【００１８】
底部１１は、図３の上側から見た平面視で、第１の辺１５ａと、第２の辺１５ｂと、第３の辺１６ａと、第４の辺１６ｂと、第５の辺１７ａと、第６の辺１７ｂとで囲まれたＬ字状をなしている。
本実施形態の排水溝構造１では、以下のような点において、前述した実施形態と異なっており、他の点においては同様の構成となっている。
すなわち、本実施形態の排水溝構造１では、第１の辺１５ａと、第２の辺１５ｂは、第１の辺１５ａと第２の辺１５ｂとで形成される角の内径がほぼ２７０°となるように交差して設けられている。
そして、本実施形態の排水溝構造１では、立ち上がり面１２が、底部１１（傾斜部１１１）の縁部から立設しており、立ち上がり面１２の屈曲方向とは反対側に底部１１を有している。
本実施形態に係る排水溝構造１は、第１の壁部５２０と第２の壁部５３０とで形成される角の内角（床部５１０側の角）がほぼ２７０°となっている躯体５００に配置して用いられる。
【００１９】
＜第３実施形態＞
次に、本発明の排水溝構造の第３実施形態について説明する。
図４は、本発明の排水溝構造の第３実施形態を示す斜視図である。なお、以下の説明では、図４中の上側を「上」、下側を「下」とする。
以下、第３実施形態の排水溝構造１について、前記第１実施形態の排水溝構造１との相違点を中心に説明し、同様の事項については、その説明を省略する。
図４に示す排水溝構造１は、前述した第１実施形態と同様に、絞り加工により一体的に成型されたものである。そして、図４に示す排水溝構造１は、前述した第１実施形態と同様に、表面が樹脂で被覆されている金属板からなり、底部１１と、立ち上がり面１２と、目地内部平面１３と、目地内部立ち上がり面１４とを有している。
【００２０】
本実施形態の排水溝構造１では、以下のような点において、前述した実施形態と異なっており、他の点においては同様の構成となっている。
本実施形態の排水溝構造１では、底部１１は、図４の上側から見た平面視で、第１の辺３０と、第２の辺３１ａと、第３の辺３１ｂと、第４の辺３２ａと、第５の辺３２ｂと、第６の辺３３ａ、第７の辺３３ｂと、第８の辺３４とで囲まれたＴ字状をなしている。
すなわち、本実施形態の排水溝構造１では、底部１１が３つの方向に液体の流路を備えたＴ字状をなしており、２つの方向から流れてきた雨水等の液体が合流し、残りの１つの方向に流れるよう構成されている。
また、本実施形態の排水溝構造１では、立ち上がり面１２が平板状をなしており、下側の縁部において底部１１と接続している。
【００２１】
底部１１の、立ち上がり面１２の中央部から分岐する流路は、流路の中央に向かって傾斜する傾斜部１１２を有している。
また、傾斜部１１２は、傾斜部１１１と同様に、底部１１内部から第８の辺３４に向かって凹んだ、段差２１が設けられている。段差２１は、段差２０と同様の目的で形成されており、段差２１は、段差２０と同様に防水シートの厚さとほぼ同等の深さを備えている。
このような構造の排水溝構造１は、２方向から流れてくる雨水等の液体の合流地点に設置され、合流した液体を他の方向へ導く構成となっている。液体の流れとしては、例えば、第２の辺３１ａ側から流れてくる液体と第８の辺３４側から流れてくる液体が合流して、第３の辺３１ｂ側に流れる場合、第３の辺３１ｂ側から流れてくる液体と第８の辺３４側から流れてくる液体が合流して、第２の辺３１ａ側に流れる場合、第２の辺３１ａ側から流れてくる液体と第３の辺３１ｂ側から流れてくる液体が合流して、第８の辺３４側に流れる場合等が考えられる。
【００２２】
また、排水溝構造１は、１方向から流れてくる液体が２方向に分かれるような場所にも用いることができる。このような液体の流れとしては、例えば、第８の辺３４側から流れてくる液体が、第２の辺３１ａ側と第３の辺３１ｂ側とに分かれて流れる場合等が考えられる。
以上、本発明の排水溝構造について説明したが、本発明は、これらに限定されるものではない。
例えば、本発明の排水溝構造において、各構成は、同様の機能を発揮し得る任意のものと置換することができ、あるいは、任意の構成のものを付加することができる。
【符号の説明】
【００２３】
１        排水溝構造
１１      底部
１２      立ち上がり面
１３      目地内部平面
１４      目地内部立ち上がり面
１５ａ    第１の辺
１５ｂ    第２の辺
１６ａ    第３の辺
１６ｂ    第４の辺
１７ａ    第５の辺
１７ｂ    第６の辺
２０      段差
２１      段差
３０      第１の辺
３１ａ    第２の辺
３１ｂ    第３の辺
３２ａ    第４の辺
３２ｂ    第５の辺
３３ａ    第６の辺
３３ｂ    第７の辺
３４      第８の辺
１１０    平部
１１１    傾斜部
１１２    傾斜部
１２０    空間
５００    躯体
５１０    床部
５１１    溝
５２０    第１の壁部
５２１    突出部
５３０    第２の壁部
【図１】
2014214561.tif 000003
【図２】
2014214561.tif 000004
【図３】
2014214561.tif 000005
【図４】
2014214561.tif 000006